(57)【要約】【課題】交換機が収容する同一の端末に複数の番号を設定することができるようにする。【解決手段】本発明は、複数の電話端末と、これら電話端末を収容する端末管理装置とを有する端末情報設定システムであり、各電話端末が、端末情報の設定に係る要求情報を含む呼制御信号を端末管理装置に送信し、端末管理装置が、呼制御信号に含まれる要求情報が設定要求である場合に、当該呼制御信号の発信元の電話端末との間で呼を確立し、呼確立後に、端末情報を含む信号を音声信号に重畳して発信元の電話端末に通信する。そして、電話端末が、受信した音声信号に重畳された端末情報を含む信号を分離し、その分離された信号に含まれる端末情報を設定情報として設定する。【選択図】      図１
2011199619.tif 000002
【特許請求の範囲】
【請求項１】
複数の電話端末と、上記各電話端末が利用することができる端末情報を記憶する端末情報記憶手段を有する端末管理装置とを備え、上記各電話端末に上記端末情報を設定する端末情報設定システムにおいて、
上記各電話端末が、上記端末情報の設定に係る要求情報を含む呼制御信号を上記端末管理装置に送信する第１の呼制御手段を備え、
上記端末管理装置が、
上記呼制御信号に含まれる上記要求情報が設定要求である場合に、当該呼制御信号の発信元の上記電話端末との間で呼を確立する第２の呼制御手段と、
上記第２の呼制御手段による呼確立後に、上記端末情報記憶手段から取得した上記端末情報を含む信号を音声信号に重畳して上記発信元の上記電話端末に通信する音声制御手段と
を備え、
上記電話端末が、
上記端末管理装置から受信した音声信号に重畳された上記端末情報を含む信号を分離する分離手段と、
上記分離手段により分離された信号に含まれる上記端末情報を設定情報として設定する設定情報管理手段と
を備える
ことを特徴とする端末情報設定システム。
【請求項２】
上記要求情報は、上記呼制御信号を構成する発信元情報及び着信先情報の領域に設定する情報の組み合わせにより内容を示すものであり、
上記第２の呼制御手段が、受信した上記呼制御信号の発信元情報及び着信先情報の領域に設定されている情報の組み合わせに基づいて上記要求情報の内容を判断するものである
ことを特徴とする請求項１に記載の端末情報設定システム。
【請求項３】
上記電話端末が、所定の制御信号を音声信号に重畳して上記端末管理装置に通信する音声制御手段をさらに備え、
上記端末管理装置が、上記電話端末から受信した音声信号に重畳された上記制御信号を分離する分離手段をさらに備える
ことを特徴とする請求項１又は２に記載の端末情報設定システム。
【請求項４】
端末情報を記憶する端末情報記憶手段を有する端末管理装置に収容されるものであり、上記端末情報を設定する電話端末において、
上記端末情報の設定に係る要求情報を含む呼制御信号を上記端末管理装置に送信する第１の呼制御手段と、
上記端末管理装置との間で呼確立後に、上記端末管理装置から受信した音声信号に重畳された上記端末情報を含む信号を分離する分離手段と、
上記分離手段により分離された信号に含まれる上記端末情報を設定情報として設定する設定情報管理手段と
を備えることを特徴とする電話端末。
【請求項５】
複数の電話端末を収容するものであって、上記各電話端末が利用することができる端末情報を記憶する端末情報記憶手段を有する端末管理装置において、
上記各電話端末から呼制御信号を受信し、上記呼制御信号に含まれる要求情報が設定要求である場合に、当該呼制御信号の発信元の上記電話端末との間で呼を確立する第２の呼制御手段と、
上記第２の呼制御手段による呼確立後に、上記端末情報記憶手段から取得した上記端末情報を含む信号を音声信号に重畳して上記発信元の上記電話端末に通信する音声制御手段と
を備えることを特徴とする端末管理装置。
【請求項６】
端末情報を記憶する端末情報記憶手段を有する端末管理装置に収容されるものであり、上記端末情報を設定する電話端末を、
上記端末情報の設定に係る要求情報を含む呼制御信号を上記端末管理装置に送信する第１の呼制御手段、
上記端末管理装置との間で呼確立後に、上記端末管理装置から受信した音声信号に重畳された上記端末情報を含む信号を分離する分離手段、
上記分離手段により分離された信号に含まれる上記端末情報を設定情報として設定する設定情報管理手段
として機能させることを特徴とする端末設定プログラム。
【請求項７】
複数の電話端末を収容するものであって、上記各電話端末が利用することができる端末情報を記憶する端末情報記憶手段を有する端末管理装置を、
上記各電話端末から呼制御信号を受信し、上記呼制御信号に含まれる要求情報が設定要求である場合に、当該呼制御信号の発信元の上記電話端末との間で呼を確立する第２の呼制御手段、
上記第２の呼制御手段による呼確立後に、上記端末情報記憶手段から取得した上記端末情報を含む信号を音声信号に重畳して上記発信元の上記電話端末に通信する音声制御手段
として機能させることを特徴とする端末管理プログラム。
【発明の詳細な説明】
【技術分野】
【０００１】
本発明は、端末情報設定システム、電話端末、端末管理装置、端末設定プログラム及び端末管理プログラムに関し、例えば、ＶｏＩＰ（Voice  Over  ＩＰ）等の音声通信システムにおいて、交換機が収容する端末の端末情報を設定する端末情報設定システム、電話端末、端末管理装置、端末設定プログラム及び端末管理プログラムに適用し得るものである。
【背景技術】
【０００２】
例えば、ＩＰ電話システムでは、各ＩＰ電話端末は、それぞれ割り当てられたＩＰアドレスを用いて通話を行う。また、例えばＬＡＮ等の同一ネットワークに接続されたＩＰ電話端末を用いて通話を行うときには、そのＩＰ電話端末に割り当てたＩＰアドレスと、ＩＰ電話端末を識別する電話番号（例えば内線番号等）とを設定することが必要となる。
【０００３】
特許文献１には、外部ネットワークと接続する交換機が、収容する端末の内線番号とＩＰアドレスとを設定する技術が記載されている。
【０００４】
特許文献１の記載技術は、ＩＰアドレスが変化した場合でも、同じ端末に同じ設定を自動的に引き継がせるために、交換機が、端末のＭＡＣアドレスを端末識別情報として、当該端末の設定情報を保持しておき、端末からの接続要求の際に、交換機が端末のＭＡＣアドレスをキーとして設定情報を検索し、検索した設定情報を用いて接続設定を行うというものである。
【先行技術文献】
【特許文献】
【０００５】
【特許文献１】特開２００２−３５３９６９号公報
【発明の概要】
【発明が解決しようとする課題】
【０００６】
しかしながら、上述した特許文献１の記載技術は、収容する端末のＭＡＣアドレスをキーとして端末を特定するものである。また、特許文献１の記載技術は、端末と接続する交換機の物理ポート（例えばＬＡＮポート）を考慮しているため、以下のような問題が生じ得る。
【０００７】
まず、特許文献１の記載技術は、交換機の物理ポート毎に端末のＭＡＣアドレスを保持しているため、交換機と収容端末との間にスイッチ等を介在させる場合、スイッチ等が収容端末宛の信号を正しく認識できず、正しく動作しないことがある。
【０００８】
また、共用スペースなどに設置された端末の場合（複数の利用者が同じ端末を使用する場合）、１台の端末が利用者毎の番号（例えば、ある時は利用者Aの内線番号、利用者Bの内線番号等）を割り当てられることが望まれるが、特許文献１の記載技術では１台の端末に対して交換機に予め設定されている一つの番号（例えば電話番号等）を割り当てることしかできない。
【０００９】
さらに、複数のアナログ電話機を同時に収容する電話アダプタ等の製品を用いる場合、電話アダプタ等に収容する電話機毎の複数の番号を設定できるようにすることが望まれるが、特許文献１の記載技術では、複数の番号を割り当てることができない。
【００１０】
そのため、交換機が収容する端末に複数の番号を設定および切換えることが望まれている。そこで、本発明は、同一の端末に複数の番号を設定および切換えることができる端末情報設定システム、電話端末、端末管理装置、端末設定プログラム及び端末管理プログラムを提供する。
【課題を解決するための手段】
【００１１】
かかる課題を解決するために、第１の本発明の端末情報設定システムは、複数の電話端末と、各電話端末が利用することができる端末情報を記憶する端末情報記憶手段を有する端末管理装置とを備え、各電話端末に端末情報を設定する端末情報設定システムにおいて、（Ａ）各電話端末が、（Ａ−１）端末情報の設定に係る要求情報を含む呼制御信号を端末管理装置に送信する第１の呼制御手段を備え、（Ｂ）端末管理装置が、（Ｂ−１）呼制御信号に含まれる要求情報が設定要求である場合に、当該呼制御信号の発信元の電話端末との間で呼を確立する第２の呼制御手段と、（Ｂ−２）第２の呼制御手段による呼確立後に、端末情報記憶手段から取得した端末情報を含む信号を音声信号に重畳して発信元の電話端末に通信する音声制御手段とを備え、電話端末が、（Ａ−２）端末管理装置から受信した音声信号に重畳された端末情報を含む信号を分離する分離手段と、（Ａ−３）分離手段により分離された信号に含まれる端末情報を設定情報として設定する設定情報管理手段とを備えることを特徴とする。
【００１２】
第２の本発明の電話端末は、端末情報を記憶する端末情報記憶手段を有する端末管理装置に収容されるものであり、端末情報を設定する電話端末において、（１）端末情報の設定に係る要求情報を含む呼制御信号を端末管理装置に送信する第１の呼制御手段と、（２）端末管理装置との間で呼確立後に、端末管理装置から受信した音声信号に重畳された端末情報を含む信号を分離する分離手段と、（３）分離手段により分離された信号に含まれる端末情報を設定情報として設定する設定情報管理手段とを備えることを特徴とする。
【００１３】
第３の本発明の端末管理装置は、複数の電話端末を収容するものであって、各電話端末が利用することができる端末情報を記憶する端末情報記憶手段を有する端末管理装置において、（１）各電話端末から呼制御信号を受信し、呼制御信号に含まれる要求情報が設定要求である場合に、当該呼制御信号の発信元の電話端末との間で呼を確立する第２の呼制御手段と、（２）第２の呼制御手段による呼確立後に、端末情報記憶手段から取得した端末情報を含む信号を音声信号に重畳して発信元の電話端末に通信する音声制御手段とを備えることを特徴とする。
【００１４】
第４の本発明の端末設定プログラムは、端末情報を記憶する端末情報記憶手段を有する電話端末に収容されるものであり、端末情報を設定する電話端末を、（１）端末情報の設定に係る要求情報を含む呼制御信号を端末管理装置に送信する第１の呼制御手段、（２）端末管理装置との間で呼確立後に、端末管理装置から受信した音声信号に重畳された端末情報を含む信号を分離する分離手段、（３）分離手段により分離された信号に含まれる端末情報を設定情報として設定する設定情報管理手段として機能させることを特徴とする。
【００１５】
第５の本発明の端末管理プログラムは、複数の電話端末を収容するものであって、各電話端末が利用することができる端末情報を記憶する端末情報記憶手段を有する端末管理装置を、（１）各電話端末から呼制御信号を受信し、呼制御信号に含まれる要求情報が設定要求である場合に、当該呼制御信号の発信元の電話端末との間で呼を確立する第２の呼制御手段、（２）第２の呼制御手段による呼確立後に、端末情報記憶手段から取得した端末情報を含む信号を音声信号に重畳して発信元の電話端末に通信する音声制御手段として機能させることを特徴とする。
【発明の効果】
【００１６】
本発明によれば、交換機が収容する同一の端末に複数の番号を設定および切換えることができる。
【図面の簡単な説明】
【００１７】
【図１】第１の実施形態のネットワークの全体構成を示す全体構成図である。
【図２】第１の実施形態のルータの内部構成を示す内部構成図である。
【図３】第１の実施形態のＩＰ電話端末等の内部構成を示す内部構成図である。
【図４】第１の実施形態の端末情報設定処理の動作を示すシーケンス図である。
【図５】第２の実施形態の呼制御信号に情報を設定する方法の一例を示す説明図である。
【発明を実施するための形態】
【００１８】
（Ａ）第１の実施形態
以下では、本発明の端末情報設定システム、電話端末、端末管理装置、端末設定プログラム及び端末管理プログラムの第１の実施形態を、図面を参照しながら説明する。
【００１９】
第１の実施形態は、本発明を利用して、例えば外部ネットワークに接続可能な交換機が、収容する端末の電話番号（例えば、内線番号等）を設定するシステムを実現する実施形態を例示する。
【００２０】
（Ａ−１）第１の実施形態の構成
図１は、第１の実施形態のネットワーク１０の全体構成を示す全体構成図である。図１において、第１の実施形態のネットワーク１０は、ルータ１、ＩＰ電話機２、ＰＣ３、電話アダプタ４、電話機５−１〜５−ｎ（ｎは正の整数）等を有して構成される。
【００２１】
図１に例示するネットワーク１０は、例えばインターネット等の通信ネットワークに接続されたＶｏＩＰ機能を有するルータ１の配下に、ＶｏＩＰ機能を有するＩＰ電話機２やＰＣ３等のＩＰ電話端末やアナログ電話アダプタ（以下、電話アダプタ）４をＩＰネットワークで接続・収容し、ルータ１が管理するネットワーク（例えばＬＡＮ等）内において、内線ＩＰ電話網を構成する環境である。
【００２２】
なお、ルータ１は、収容端末の端末情報を設定する設定装置として機能するものである。また、ＩＰ電話機２、ＰＣ３、電話アダプタ４は、ルータ１により端末情報が設定される被設定装置として機能するものである。
【００２３】
ルータ１は、外部ネットワーク（例えばインターネット等のＷＡＮ）とＬＡＮとに接続するネットワーク装置であり、外部ネットワークとＬＡＮとの間の中継機能を有するものである。ルータ１は、音声通信機能（例えば、ＶｏＩＰ機能等）を有しており、ＬＡＮ上に存在するＩＰ電話端末の音声通信を制御するものである。また、ルータ１は、例えば内線番号等の設定情報を保持しており、収容するＩＰ電話端末から発信要求を受けると、当該ＩＰ電話端末との間で呼を確立した後、例えば内線番号等の設定情報を音声信号に重畳してＩＰ電話端末に送信するものである。
【００２４】
ＩＰ電話機２は、ＩＰ電話通信を行う電話端末である。ＩＰ電話機２は、ＩＰ電話通信が可能であれば、例えば、固定型のＩＰ電話機、移動型のＩＰ電話機などを広く適用することができる。
【００２５】
ＰＣ３は、例えばソフトフォン等のＩＰ電話機能をソフトウェア処理により実現するパーソナルコンピュータである。
【００２６】
電話アダプタ４は、複数のアナログ電話機５−１〜５−ｎを収容し、アナログ電話とＩＰ電話との間の変換処理を行うものである。
【００２７】
図２は、ルータ１の主な内部構成を示す内部構成図である。なお、図２には、第１の実施形態に特有な機能構成だけを記載しており、ルータ１が備える基本的な機能構成については省略している。
【００２８】
図２において、ルータ１は、ＷＡＮインタフェース部１１、ＬＡＮインタフェース部１２、端末情報記憶部１３、端末情報管理部１４、呼制御部１５、音声制御部１６を少なくとも有する。ネットワークアドレス払出し部１７は、ルータ１の外部にあってもよい。
【００２９】
ＷＡＮインタフェース部１１は、例えばインターネット等のネットワークとの間で情報を通信するインタフェースである。ＷＡＮとの間の通信プロトコルは、特に限定されるものではなく広く適用することができるが、ここではＩＰ（インタネットプロトコル）を想定する。例えば、ＷＡＮインタフェース部１１にはＩＰアドレスが割り当てられているものとする。
【００３０】
ＬＡＮインタフェース部１２は、ＬＡＮとの間で情報を通信するインタフェースである。ＬＡＮとの間の通信プロトコルは、特に限定されるものではないが、ここではＩＰを想定する。例えば、ＬＡＮインタフェース部１２にはＩＰアドレスが割り当てられているものとする。
【００３１】
端末情報記憶部１３は、ＬＡＮ側に収容するＩＰ電話端末の端末情報を記憶する記憶領域である。端末情報は、ＩＰ電話端末のＩＰ電話に関する情報であり、例えば、ＩＰ電話端末の電話番号（例えば内線番号等）等が該当する。端末情報記憶部１３は、ＬＡＮ側のＩＰ電話端末に割り当てる電話番号等を保持している。
【００３２】
このとき、端末情報記憶部１３は、端末情報管理部１４の制御の下、既にＩＰ電話端末に利用されている電話番号とまだ利用されていない電話番号とを区別して保持している。例えば、既に利用されている電話番号については、ＩＰ電話端末に割り当てられたＩＰアドレスと対応付けたり、又は利用されていることを示すフラグを付与したりして区別する。
【００３３】
端末情報管理部１４は、ＬＡＮ側に収容するＩＰ電話端末の端末情報を管理するものである。端末情報管理部１４は、呼制御部１５からの問い合わせを受けて、まだ利用されていない端末情報（電話番号等）を端末情報記憶部１３から検索し、その検索した端末情報を呼制御部１５に与えるものである。
【００３４】
呼制御部１５は、ＬＡＮ側に収容されたＩＰ電話端末やＷＡＮ側にあるＶｏＩＰサーバとの間で呼制御を行うものである。呼制御部１５は、呼処理部１５１と状態確認部１５２とを少なくとも有する。
【００３５】
呼処理部１５１は、例えば、呼の状態を管理したり、呼制御プロトコルの解釈をしたり、呼制御信号（呼制御メッセージともいう）の生成などの呼処理を行うものである。ここで、呼制御プロトコルは、特に限定されるものではなく、例えばＳＩＰ（Session  Initiation  Protocol）、Ｈ．３２３など広く適用することができる。
【００３６】
また、呼処理部１５１は、状態確認部１５２により受信した呼制御信号に初期状態であることが設定されていると確認されると、当該呼制御信号の送信元のＩＰ電話端末との間で呼を確立するものである。
【００３７】
さらに、呼処理部１５１は、初期状態と設定された呼制御信号の送信元との間で呼が確立すると、端末情報管理部１４に対して、まだ利用されていない端末情報（電話番号等）の問い合わせを行う。そして、呼処理部１５１は、端末情報管理部１４から端末情報を取得すると、その端末情報を音声制御部１６に与えるものである。
【００３８】
状態確認部１５２は、ＬＡＮ側のＩＰ電話端末から受信した呼制御信号に含まれている発信元情報、着信先（発信先）情報に設定されている情報に基づいて、当該呼制御信号を送信してきたＩＰ電話端末の端末情報の設定が初期状態であることを確認するものである。
【００３９】
ここで、初期状態とは、呼制御信号の送信元であるＩＰ電話端末に端末情報（例えば電話番号等）が設定されていない状態をいう。
【００４０】
音声制御部１６は、呼確立後に、例えば音声パケットの中継処理やＣｏｄｅｃ変換処理等の音声通信処理を行うものである。音声制御部１６は、例えば、音声ガイダンスなどをＩＰ電話端末に通知する機能を有するようにしてもよい。また、音声制御部１６は、音声データの通信中に非音声データを通知する非音声データ通知機能を有する。
【００４１】
この非音声データ通知機能を実現する方法は、種々の方法を適用することができる。例えば、第１の実施形態では、特開２００８−２８３６６７号公報の記載技術を適用する場合を例示する。そこで、音声制御部１６は、非音声データパケット生成部１６１、非音声データパケット挿入部１６２を少なくとも有する。なお、音声制御部１６が、ＩＰ電話端末側に備える非音声データパケット抽出部、非音声データパケット読取部を備えるようにしてもよい。
【００４２】
非音声データパケット生成部１６１は、呼制御部１５から端末情報を受け取ると、この端末情報を含むパケットを生成するものである。ここで、非音声データパケット生成部１６１は、音声データパケットと区別することができる非音声データパケットを生成する。音声データパケットと区別することができれば種々の方法をとることができるが、例えば、それぞれのデータサイズが異なるように設定しても良いし（例えば音声データは１０００バイト、非音声データは１４００バイト等）、又はそれぞれを区別する識別情報を含むようにする等の方法を適用することができる。
【００４３】
非音声データパケット挿入部１６２は、非音声データパケット生成部１６１が生成した非音声データパケットを、音声制御部１６が中継する音声データパケットのストリームに挿入するものである。音声データパケットのストリームに非音声データパケットを挿入する方法としては、例えば、音声データパケットのストリームのパケットを、非音声データパケットに置き換える方法を適用することができる。このパケットの置き換えにより、非音声データパケットを挿入して通知することができる。
【００４４】
ネットワークアドレス払出し部１７は、ＬＡＮ側に接続するＩＰ電話端末に対してＩＰアドレスを割り当てるものである。ネットワークアドレス払出し部１７によるＩＰアドレスの払い出し方法は、既存技術を広く適用することができ、例えばＩＥＴＦの技術仕様ＲＦＣ２１３１に規定されるＤＨＣＰのプロトコルを適用することができる。
【００４５】
図３は、ＬＡＮ側に接続している被設定装置の内部構成を示す内部構成図である。ここでは、被設定装置の代表としてＩＰ電話機２を想定して説明する。なお、図３には、端末情報の設定に関係する機能を中心に示しており、ＩＰ電話機２、ＰＣ３上のソフトフォン処理、電話アダプタとしての基本的な構成については省略する。
【００４６】
図３に示すように、被設定装置は、ＬＡＮインタフェース部２１、設定情報記憶部２２、設定情報管理部２３、呼制御部２４、音声制御部２５、ネットワークアドレス取得部２６を少なくとも有する。
【００４７】
ＬＡＮインタフェース部２１は、ＬＡＮとの間で情報を通信するインタフェースである。ＬＡＮインタフェース部２１は、ルータ１のＬＡＮインタフェース部１２と同様に、通信プロトコルは特に限定されるものではないが、ここではＩＰを想定する。例えば、ＬＡＮインタフェース部２１にはＩＰアドレスが割り当てられているものとする。
【００４８】
設定情報記憶部２２は、音声制御部２５を介して、ルータ１から通知された端末情報（例えば電話番号等）を保存する記憶領域である。また、設定情報記憶部２２は、ルータ１から通知された情報だけでなく、ユーザ操作により直接設定されたデータも格納するようにしてもよい。
【００４９】
設定情報管理部２３は、ＩＰ電話端末自身が使用するべきデータ（例えば、ＩＰアドレスや電話番号等）を設定情報記憶部２２に保存させて管理するものである。また、設定情報管理部２３は、一時的なデータ（例えば電源切断時に消滅するデータ）や継続的なデータ（例えば電源切断時も消滅しないデータ）であるかの判断を行い、継続的なデータであると判断すると、そのデータを設定情報記憶部２２に書き込むものである。
【００５０】
呼制御部２４は、ルータ１との間で呼制御を行うものである。呼制御部２４は、呼処理部２４１と状態設定部２４２とを少なくとも有する。
【００５１】
呼処理部２４１は、例えば、呼の状態を管理したり、呼制御プロトコルの解釈をしたり、呼制御信号（呼制御メッセージともいう）の生成などの呼処理を行うものである。
【００５２】
状態設定部２４２は、設定情報管理部２３に自装置の状態を問い合わせ、自装置の状態が初期状態の場合に、初期状態であることを示す情報を呼制御信号に設定するものである。
【００５３】
音声制御部２５は、呼確立後に、例えば音声パケットの送受信処理や符号化復号処理等の音声通信処理を行うものである。また、音声制御部２５は、音声データの通信中に含まれる非音声データの通知を受ける非音声データ通知機能を有する。
【００５４】
この非音声データ通知機能を実現する方法は、ルータ１の音声制御部１６の非音声データ通知機能に対応するものであり、例えば、第１の実施形態では、特開２００８−２８３６６７号公報の記載技術を適用する場合を例示する。そこで、音声制御部２５は、非音声データパケット抽出部２５１、非音声データパケット読取部２５２を少なくとも有する。なお、音声制御部２５が、ルータ１側に備える非音声データパケット生成部、非音声データパケット挿入部を備えるようにしてもよい。
【００５５】
非音声データパケット抽出部２５１は、受信した音声データパケットストリームの中から非音声データパケットを抽出するものである。上述したように、非音声データパケットは音声データパケットと区別することができるので、非音声データパケット抽出部２５１はこれにより非音声データパケットを抽出することができる。
【００５６】
非音声データパケット読取部２５２は、非音声データパケット抽出部２５１により抽出された非音声データパケットに含まれる非音声データを解析するものである。非音声データパケット読取部２５２は、解析した非音声データを設定情報管理部２３に与える。例えば、非音声データとして端末情報（例えば電話番号等）が含まれるので、その端末情報を設定情報管理部２３に与える。
【００５７】
ネットワークアドレス取得部２６は、ネットワークアドレス払出し部１７から割り当てられたＩＰアドレスを受けるものである。ネットワークアドレス取得部２６によるＩＰアドレスを受ける方法は、既存技術を広く適用することができ、例えばＩＥＴＦの技術仕様ＲＦＣ２１３１に規定されるＤＨＣＰのプロトコルを適用することができる。
【００５８】
（Ａ−２）第１の実施形態の動作
次に、第１の実施形態のネットワーク１０において、ルータ１が呼を要求してきたＩＰ電話端末の端末情報を設定する端末情報設定処理の動作を、図面を参照しながら説明する。
【００５９】
図４は、第１の実施形態の端末情報設定処理の動作を示すシーケンス図である。図４では、ＩＰ電話機２が設定を行う場合を例示する。
【００６０】
まず、ＬＡＮ側に接続するＩＰ電話機２は、自身のＩＰアドレス及びルータ１のＩＰアドレスを知る必要がある。そこで、ＩＰ電話機２のネットワークアドレス取得部２６とルータ１のネットワークアドレス払出し部１７とが、所定のネットワークアドレス取得手順（たとえばＤＨＣＰ手順）に従って信号の授受を行うことにより、ＩＰ電話機２は自身のＩＰアドレス及びルータ１のＩＰアドレスを取得する（ステップＳ１０１）。
【００６１】
ＩＰ電話機２は、決定した自身のＩＰアドレス及びルータ１のＩＰアドレスを用いて、ＬＡＮを通じたＩＰ通信を行う。
【００６２】
このとき、ＩＰ電話機２は、電話番号等が設定されていない初期状態である。ユーザがＩＰ電話機２を用いて通話を開始する際に、ユーザはＩＰ電話機２をＯＦＦ−ＨＯＯＫ（通信開始操作相当）する（ステップＳ１０２）。
【００６３】
ＩＰ電話機２では、ユーザにＯＦＦ−ＨＯＯＫされると、この操作をトリガーにしてＩＰ電話機２はルータ１に対してＶｏＩＰ発信である呼制御信号を送信する（ステップＳ１０３）。
【００６４】
例えば、ＩＰ電話機２において、呼制御部２４は設定情報管理部２３に現在のＩＰ電話機２の状態を問い合わせる。これを受けて、設定情報管理部２３は、設定情報記憶部２２を参照して、自身には電話番号等が割り当てられていない初期状態であると判断する。状態設定部２４２は、設定情報管理部２３の判断を受けて、初期状態であることを意味する情報を呼制御信号に付与する。
【００６５】
例えば状態設定部２４２は、発信呼制御信号上の着信先情報と発信元情報の設定領域に「初期状態」を意味する情報（初期値）を設定し、呼処理部２４１が当該発信呼制御信号をルータ１に送信する。なお、初期状態を表すデータは、使用するＶｏＩＰプロトコル（呼制御プロトコル）が許容しているものであり、かつ、あらかじめルータ１とＩＰ電話機２との間で取り決めておいた値であれば、特に制限されることなく広く適用することができる。
【００６６】
ルータ１は、ＬＡＮを通じてＩＰ電話機２から送信された発信呼制御信号を受信する。ルータ１では、呼制御部１５の状態確認部１５２が、受信した発信呼制御信号の着信先情報及び発信元情報の設定領域を確認して、初期状態であることを判断する（ステップＳ１０４）。
【００６７】
このとき、ルータ１において、呼制御部１５は、端末情報取得要求の呼と判断し（ステップＳ１０５）、発信元であるＩＰ電話機２が登録済みであるかのチェックを行わずに、当該ＩＰ電話機２との間の呼を確立し（ステップＳ１０６）、音声制御部１６による音声パスが形成される（ステップＳ１０７）。ここで、呼制御部１５が行う呼制御のシーケンスは、通常の呼と同じシーケンスをとるものとする。
【００６８】
また、ルータ１では、呼制御部１５によりＩＰ電話機２との間で呼が確立すると、呼制御部１５が、端末情報管理部１４に問い合わせを行い、利用可能な端末情報（すなわち、空いている電話番号等）を取得する（ステップＳ１０８）。このとき、端末情報管理部１４は、呼制御部１５に与えた端末情報を払い出し予定の状態として記憶しておく。
【００６９】
ルータ１において、呼制御部１５は、端末情報管理部１４から取得した端末情報を音声制御部１６に与える。そして、音声制御部１６では、非音声データパケット生成部１６１が、呼制御部１５から受け取った端末情報に基づいて非音声データパケットを生成し、非音声データパケット挿入部１６２が、音声データパケットストリームに、非音声データパケットを重畳し（ステップＳ１０９）、音声として通知情報をＩＰ電話機２に送信する（ステップＳ１１０）。
【００７０】
例えば、呼制御部１５は、音声のうち無音部分を検出し、その無音部分の音声パケットを非音声データパケットに置き換えて送信するようにする。
【００７１】
また例えば、ステップＳ１０８において、利用可能な端末情報（例えば電話番号等）が複数ある場合には、複数の端末情報から任意に１個又は複数個を選択するようにしてもよいし、又はその全てを選択するようにしてもよい。また、複数個の端末情報をＩＰ電話機２に通知するようにしてもよく、その場合、ＩＰ電話機２によりいずれかの端末情報を選択できるようにしてもよい。
【００７２】
ＩＰ電話機２では、音声制御部２５の非音声データパケット抽出部２５１が、音声データパケットのストリームから非音声データパケットを抽出し（ステップＳ１１１）、非音声データパケット読取部２５２が、抽出した非音声データパケットに含まれる端末情報を読み取り（ステップＳ１１２）、これを設定情報管理部２３に与える。
【００７３】
設定情報管理部２３は、受け取った端末情報の一部又は全部を設定情報記憶部２２に記憶する（ステップＳ１１３）。例えば、ルータ１から複数個の端末情報を受信した場合に、いずれかの端末情報を選択し、その選択した端末情報を設定情報として記憶するようにしてもよい。この選択の方法としては、例えば、任意に選択されるようにしてもよいし、ユーザにより選択されるようにしてもよい。
【００７４】
また、設定管理部２３は、端末情報を設定情報記憶部２２に設定すると、端末情報を設定したことを呼制御部２４に通知する（ステップＳ１１４）。呼制御部２４は、設定管理部２３からの通知を受けて、ルータ１との呼を切断する（ステップＳ１１５）。
【００７５】
ＩＰ電話機２からの呼切断を契機に、ルータ１の呼制御部１５は、ＩＰ電話機２への端末情報の払い出しが完了したことを判断し、その旨を端末情報管理部１４に通知する。これを受けて、端末情報管理部１４は、当該端末情報を払い出し済みの状態として記録し（ステップＳ１１６）、次の問い合わせ時には、当該ＩＰ電話機２に対する端末情報の払い出しを行わないようにする。
【００７６】
この後、ＩＰ電話機２では、例えば、ユーザ操作を受けて、保存している端末情報（電話番号など）を使用して、ルータ１に対して発呼要求を行うことができる。
【００７７】
このようにして、ＩＰ電話機２は、通話を行うために必要な端末情報をルータ１から取得し、自動的に端末情報を設定することができ、また重複した端末情報の払い出しを行わないようにできる。
【００７８】
（Ａ−３）第１の実施形態の効果
以上のように、第１の実施形態によれば、通話呼の音声に端末情報を重畳することにより、以下の効果を得ることができる。
【００７９】
第１の実施形態によれば、従来技術のようにＭＡＣアドレスのようなキーワードにとらわれないため、同一装置でも複数の番号を設定可能である。これにより、ログインユーザ毎に、本機能を動作させておくことで、同一端末でユーザ毎に番号を設定することができる。
【００８０】
また、第１の実施形態によれば、呼確立後に音声パスが形成され、その音声パスを用いて端末情報を非音声データとして転送するため、中継網の設定を変更（例えば、端末情報を転送するために別途中継網を設定したり変更したり）する必要がない。
【００８１】
（Ｂ）第２の実施形態
次に、本発明の端末情報設定システム、端末情報設定装置及び端末装置の第２の実施形態を、図面を参照しながら説明する。
【００８２】
（Ｂ−１）第２の実施形態の構成及び動作
第２の実施形態が、第１の実施形態と異なる点は、ルータ１の呼制御部１５及び被設定装置であるＩＰ電話機２等の呼制御部２４である。
【００８３】
それ以外の構成要素は、第１の実施形態と同じであるので、第２の実施形態においても、図１〜図３を用いて説明する。また、以下では、第２の実施形態に特有な構成及び動作を中心に説明するものとし、第１の実施形態で既に説明した構成及び動作については省略する。
【００８４】
ＩＰ電話機２等の呼制御部２４は、第１の実施形態と同様に、呼処理部２４１と状態設定部２４２とを有する。呼処理部２４１は、第１の実施形態と同様に、呼制御プロトコルの解釈や呼制御信号の生成等を行うものである。
【００８５】
状態設定部２４２は、第１の実施形態で説明した初期状態を意味する情報を呼制御信号に設定するだけでなく、例えばユーザ操作を受けて、他の情報を呼制御信号に設定するものである。
【００８６】
図５は、状態設定部２４２が呼制御信号に情報を設定する方法の一例を示す説明図である。例えば、状態設定部２４２が設定することができる情報例としては、第１の実施形態で説明した初期状態（端末情報の払い出し要求）、端末情報の確認要求、端末情報の消去要求などの情報を設定することができる。なお、状態設定部２４２は、上記要求に限定されるものではなく、例えば、端末情報の変更要求など種々の要求や制御を設定することができる。
【００８７】
例えば、状態設定部２４２は、図５に示すように、呼制御信号のうち、発信元情報及び着信先情報の設定領域に所定の値を設定することでなし得る。例えば、図５に例示するように、ルータ１に端末情報の設定確認要求を行う場合、状態設定部２４２は、発信元情報の領域に初期状態（初期値）以外の値を設定し、着信先情報の領域に初期状態（初期値）を設定するようにする。なお、初期状態（初期値）以外の値についても、システム運用などにより任意に取り決めることができる。
【００８８】
このように、状態設定部２４２は、種々の要求を示す情報を呼制御信号に設定することができる。
【００８９】
ルータ１の呼制御部１５は、呼処理部１５１と状態確認部１５２とを少なくとも有する。呼処理部１５１は、第１の実施形態と同様に、呼制御プロトコルの解釈や呼制御信号の生成等を行うものである。
【００９０】
状態確認部１５２は、ＬＡＮを通じて受信した呼制御信号の発信元情報及び着信先情報に設定されている情報（値）に基づいて、発信元のＩＰ電話端末が要求する意味を確認するものである。状態確認部１５２も、図５に例示する意味解釈を判断することができる。
【００９１】
例えば、状態確認部１５２が呼制御信号に基づいて設定確認要求であると判断すると、状態確認部１５２は、端末情報管理部１４に対して、当該ＩＰ電話端末に設定されている端末情報を確認させる。なお、端末情報管理部１４から取得した端末情報については、音声制御部１６に与えて、非音声データとしてＩＰ電話端末に音声として通知するようにしてもよい。
【００９２】
また例えば、状態確認部１５２が呼制御信号に基づいて設定消去要求であると判断すると、状態確認部１５２は、端末情報管理部１４に対して、当該ＩＰ電話端末に設定されている端末情報の削除を要求する。これを受けて、端末情報管理部１４は、当該ＩＰ電話端末の設定を削除する。
【００９３】
（Ｂ−２）第２の実施形態の効果
以上のように、第２の実施形態によれば、第１の実施形態で説明した効果に加えて、ＩＰ電話端末側が、呼制御信号を用いてルータに対して要求をすることができる。
【００９４】
（Ｃ）他の実施形態
上述した第１及び第２の実施形態では、ＩＰアドレスの割り当て処理は、ＤＨＣＰ手順による場合を例示したが、ＩＰアドレスの割り当てが可能であれば、特に限定されるものではなく、例えばユーザの手動設定で実施するようにしてもよい。
【００９５】
上述した第１の実施形態では、ＯＦＦ−ＨＯＯＫを契機にして、ＩＰ電話機２が発信呼制御信号をルータ１に送信する場合を例示したが、これに限定されるものではない。例えば、装置の電源ＯＮやＬＡＮ側インタフェースを物理的に接続したことをトリガーとして、ユーザの目に見えないバックグラウンド処理で実施しても良い。
【００９６】
非音声データの通知は、ルータ１からＩＰ電話機２に向けて送信される場合に限定されるわけではなく、ＩＰ電話機２からルータ１に向けて送信されるようにしてもよい。例えば、ルータ１に非音声データパケット抽出部、非音声データパケット読取部、ＩＰ電話２に非音声データパケット生成部、非音声データパケット挿入部を具備した上で第２の実施形態にあるＩＰ電話機２からの制御情報や番号の選択情報やユーザログインの通知などを非音声データとしてルータ１に通知することも可能である。
【００９７】
上述した第１及び第２の実施形態では、ルータ１から送信する音声として非音声データを送信していたが、ルータ１の音声制御部１６がガイダンス音声（例えば「ただいま内線設定を実施中です。」等）を送信し、そのガイダンスの無音部分に非音声データを重畳しても良い。
【００９８】
上述した第１の実施形態では、ＩＰ電話機が初期状態の場合を例示したが、端末情報の設定後に、ユーザによる端末操作を受けて、第１及び第２の実施形態で説明した動作を行うようにしてもよい。
【００９９】
上述した第１及び第２の実施形態で説明したルータやＩＰ電話端末における処理は、いわゆるソフトウェア処理により実現することができる。例えば、装置のハードウェアとして、ＣＰＵ、ＲＯＭ、ＲＡＭ、ＥＥＰＲＯＭ等からなり、ＣＰＵが、ＲＯＭに格納される処理プログラムを処理に必要なデータを用いて実行することにより、第１及び第２の実施形態で説明した処理を実現できる。
【符号の説明】
【０１００】
１…ルータ、
１１…ＷＡＮインタフェース部、１２…ＬＡＮインタフェース部、
１３…端末情報記憶部、１４…端末情報管理部、１５…呼制御部、１５１…呼処理部、
１５２…状態確認部、１６…音声制御部、１６１…非音声データパケット生成部、
１６２…非音声データパケット挿入部、１７…ネットワークアドレス払出し部、
２…ＩＰ電話機、３…ＰＣ、４…電話アダプタ、５−１〜５−ｎ…電話機、
２１…ＬＡＮインタフェース部、２２…設定情報記憶部、２３…設定情報管理部、
２４…呼制御部、２４１…呼処理部、２４２…状態設定部、２５…音声制御部、
２５１…非音声データパケット抽出部、２５２…非音声データパケット読取部、
２６…ネットワークアドレス取得部、
１０…ネットワーク。
【図１】
2011199619.tif 000003
【図２】
2011199619.tif 000004
【図３】
2011199619.tif 000005
【図４】
2011199619.tif 000006
【図５】
2011199619.tif 000007